(57)【特許請求の範囲】
【請求項１】
投入口に投入された貨幣を金種毎に鑑別して計数し、金種毎に収納庫に収納するとともに、上位制御部からの出金指示に基づいて金種および枚数を決定して前記収納庫から出金する貨幣処理機において、
前記貨幣の入出金動作状況に関するログ情報を格納する記憶手段と、
前記ログ情報をそこに付与されているタイムスタンプに基づいて検索する情報検索手段と、
前記情報検索手段によって前記記憶手段から抽出された前記ログ情報が障害発生に関するものである場合に、前記障害発生の原因となった直前の動作指示情報と当該障害情報とを交互にタイムスタンプ付きで表示するとともに、前記ログ情報が実行拒否されたコマンド入力である場合には、当該拒否されたコマンドと前記実行拒否の理由とを交互にタイムスタンプ付きで表示する表示手段と、
を備えたことを特徴とする貨幣処理機。
【請求項２】
前記情報検索手段は、前記ログ情報のうち直近のものから順次検索するための履歴ボタン、および日付と時刻を特定して検索するための置数ボタンを備えていることを特徴とする請求項１記載の貨幣処理機。
【発明の詳細な説明】
【技術分野】
【０００１】
本発明は、投入口に投入された貨幣を金種毎に鑑別して計数し、金種毎に収納するとともに、出金指示に基づいて金種および枚数を決定して出金する貨幣処理機に関し、とくにスーパーマーケットのＰＯＳ（Point Of Sales）レジスタ等に接続されて使用される貨幣処理機に関する。
【背景技術】
【０００２】
スーパーマーケット等のＰＯＳレジスタ（以下、単にＰＯＳレジという。）には、預かり金の入金および釣銭の出金を行うための貨幣処理機が接続されている。この貨幣処理機は、投入された貨幣を収納庫に収納するとともに、出金指示により収納庫から釣銭を出金する。こうした貨幣処理機では、金銭の払い出しおよび収納作業を自動化することができるため、レジ担当者による現金の取り扱い負荷を軽減しつつ、精算業務の効果をあげること、および違算を減少させること等が可能となっている。また、受け取った金銭が釣銭機内に収納され、さらに釣銭として必要な金額のみが払い出されるため、セキュリティを大幅に向上させることができる。
【０００３】
ＰＯＳレジで違算が発生した場合、店舗ホスト計算機が通信ユニットを介して各レジの釣銭機に対して、ＰＯＳレジから定期的に通知される売上金額に関する情報と、釣銭機で管理する金銭の入出力に関するログ情報とを読み出すための命令が出力される。この命令を受け取った釣銭機では、ログ情報と売上金額に関する情報とを通信ユニットを介して、店舗ホスト計算機等に対して通知する。こうしてログ情報と売上金額に関する情報を受け取った店舗ホスト計算機では、それらの情報を表またはグラフ等で表示することができるから、これを店舗管理者がチェックして、違算の発生が人為的なミスによるものなのか、処理装置側の不具合によるものなのかを判断するようにしていた。
【０００４】
従来から、店舗内での違算管理を簡素化し、現金の補充／回収タイミングを適正化するように工夫された釣銭管理システムや金銭管理方法が考えられている。こうした釣銭管理システムでは、ネットワークアダプタから、ＰＯＳレジにて管理する売上金額に関する情報と、釣銭機にて管理する金銭の入出力に関するログ情報とをホスト計算機で受け取って、それらの情報に基づいて違算管理を行うことにより、この種の違算が発生した場合においても、店舗にメーカ側のサービスマンを呼ぶ必要がなくなる利点等がある（例えば、特許文献１参照。）。
【特許文献１】特開２００１−３４４６５９号公報（段落番号［００２７］〜［００４０］、図１等）
【発明の開示】
【発明が解決しようとする課題】
【０００５】
ところで、実際にスーパーマーケット等で運用されている釣銭機では、レジ担当者が販売現場で違算をチェックする際、あるいは要員交代時等に、しばしば現金入出金に係る操作履歴を確認する必要が生じる。しかし、そのような場合には、店舗ホスト計算機から必要なログ情報やデータを抜き出す必要があって、従来ではレジ近傍にログ情報を解析するための専用パソコンを設置するか、あるいはレジ担当者が店舗ホスト計算機の設置場所まで出向かなければならない。
【０００６】
すなわち、店舗ホスト計算機を操作するためには、レジ担当者がレジを離れなくてはならず、あるいはＰＯＳレジ近傍に釣銭機に加えて専用パソコンを設置するとすれば、そのためのスペースが必要となる。また、釣銭機に障害が発生したとき、店舗ホスト計算機や専用パソコン等を操作して障害を解析するには、レジ担当者に相当な熟練が必要とされる等の問題もあった。
【０００７】
本発明はこのような点に鑑みてなされたものであり、ＰＯＳレジの設置現場で入出金動作状況に関するログ情報等のチェックが簡単に実行できる貨幣処理機を提供することを目的とする。
【課題を解決するための手段】
【０００８】
本発明では、上記問題を解決するために、投入口に投入された貨幣を金種毎に鑑別して計数し、金種毎に収納庫に収納するとともに、上位制御部からの出金指示に基づいて金種および枚数を決定して前記収納庫から出金する貨幣処理機が提供される。この貨幣処理機は、前記貨幣の入出金動作状況に関するログ情報を格納する記憶手段と、前記ログ情報をそこに付与されているタイムスタンプに基づいて検索する情報検索手段と、前記情報検索手段によって前記記憶手段から抽出された前記ログ情報が障害発生に関するものである場合に、前記障害発生の原因となった直前の動作指示情報と当該障害情報とを交互にタイムスタンプ付きで表示するとともに、前記ログ情報が実行拒否されたコマンド入力である場合には、当該拒否されたコマンドと前記実行拒否の理由とを交互にタイムスタンプ付きで表示する表示手段と、から構成される。
【０００９】
この貨幣処理機では、記憶手段には、貨幣の入出金動作状況に関するログ情報を格納する。情報検索手段では、ログ情報をそこに付与されているタイムスタンプに基づいて検索する。
【発明の効果】
【００１１】
本発明によれば、レジ担当者はレジ設置現場を離れることなく、違算発生等の障害原因の解析等を簡単な操作だけで実施することができ、しかも専用パソコン等の設置のための追加のスペース、費用も不要になる。
【発明を実施するための最良の形態】
【００１２】
以下、図面を参照してこの発明の実施の形態について説明する。図１は、本発明の実施の形態の貨幣処理機の外観を示す図である。同図の（ａ）は上面図、（ｂ）は正面図である。
【００１３】
（貨幣処理機の構成）
この貨幣処理機本体は、紙幣の収納庫を有する紙幣部１と硬貨の収納庫を有する硬貨部２から構成され、不図示の上位制御部であるＰＯＳレジから情報を受け取る受取部３と、必要な情報を記憶する不図示のメモリ（記憶媒体）を有している。また、上記収納庫の貨幣（紙幣および硬貨）の収納状況に関する情報を表示して所要のガイダンスを行う操作表示パネル４を備え、紙幣部１には紙幣投入口５および紙幣出金口６が設けられ、硬貨部２には硬貨投入口７および硬貨出金口８が設けられている。９は各金主別収納庫から貨幣を回収するための回収庫、１０は棒金硬貨を保管するための予備金庫（以下、棒金ストッカという。）である。
【００１４】
上記受取部３は、操作表示パネル４に表示もしくは音声出力する情報をＰＯＳレジから受け取る。また、操作表示パネル４に表示もしくは音声出力する情報を記憶するメモリは貨幣処理機内になくてもよく、外部のＵＳＢメモリ等を用いて必要な情報を入力するようにしてもよい。
【００１５】
本実施の形態の貨幣処理機は、紙幣投入口５および硬貨投入口７から投入された紙幣あるいは硬貨を金種毎に鑑別して計数し、金種毎に設けられた収納庫もしくは混合金種の収納庫に収納し、ＰＯＳレジからの出金指示に基づいて金種および数を決定して上記収納庫から釣銭を出金する釣銭機として機能する。そして、受取部３では上記出金指示金額と預かり金金額をＰＯＳレジから受け取り、ＰＯＳレジから預かり金の金額データが入力されると入金許可状態となって、紙幣投入口５および硬貨投入口７から投入された貨幣と預かり金の金額とが照合される。このとき操作表示パネル４では、上記預かり金金額を表示し、預かり金金額の表示から貨幣の入金計数毎に減算表示する（入金照合時の例）。
【００１６】
（操作表示パネルの構成）
図２は、貨幣処理機に設けられた操作表示パネル４の構成の具体例を示す図である。この操作表示パネル４は、７セグメントで数値を表示するＬＥＤ表示器４ａと、ＬＣＤ表示器４ｂを備えている。ＬＥＤ表示器４ａは、９桁の数字表示分だけ設けられていて、各桁で金種毎の貨幣が「満杯」「適量」「空」等と、その収納状況を表示する。ＬＣＤ表示器４ｂは、その貨幣の収納状況に関するログ情報および他の必要な情報を文章で表示する。それらの情報は、後述するように音声出力することも可能である。
【００１７】
また、収納庫の貨幣収納枚数と貨幣収納可能枚数とを比較し、貨幣収納枚数が貨幣収納可能枚数に到達した時点でその収納庫の金種のみ貨幣の受付を禁止し、その情報をＬＥＤ表示器４ａで表示し、もしくは音声出力する。さらに、図３に示す第２のメモリ３４ｂから抽出されたログ情報をＬＣＤ表示器４ｂにタイムスタンプ付きで表示、もしくは音声出力するかの少なくともいずれかを行う。
【００１８】
操作表示パネル４は、表示もしくは音声出力すべき情報があることを示すヘルプランプ（表示器）４ｃを有している。また、ＬＥＤ表示器４ａ、ＬＣＤ表示器４ｂ、およびヘルプランプ（表示器）４ｃの右側には、３行×４列に１２個の操作ボタン群４ｄが配置されている。
【００１９】
操作ボタン群４ｄの最上部（第１列）には、それぞれ紙幣スイッチ、ヘルプスイッチ、在高スイッチとして、「７」，「８」，「９」の置数ボタンを兼ねる３つの機能スイッチが配置され、第２列には、それぞれ硬貨スイッチ、回収スイッチ、補充スイッチとして、「４」，「５」，「６」の置数ボタンを兼ねる３つの機能スイッチが配置され、第３列には、スクロールボタン、履歴スイッチ、設定スイッチとして、「１」，「２」，「３」の置数ボタンを兼ねる３つの機能スイッチが配置されている。また、最下部（第４列）のボタンは、「０」の置数ボタンを兼ねるスクロールボタン、取消復旧ボタン、および実行ボタンである。
【００２０】
（貨幣処理機の制御機構）
図３は、実施の形態に係る貨幣処理機の制御機構を示すブロック図である。
貨幣処理機の上位通信部３２は、上述した貨幣処理機本体の受取部３に相当するものであって、ＰＯＳレジ等の上位制御部（図示せず）に接続されている。入出金計数処理部３１は、機構制御部３３を介してメモリ部３４と接続されている。入出金計数処理部３１では、紙幣投入口５や硬貨投入口７から投入された貨幣を金種毎に振り分けて計数して、それらを貨幣処理機の金種毎に設けられた収納庫もしくは混合金種の収納庫に収納するとともに、紙幣出金口６や硬貨出金口８からの釣銭等の出金動作を制御している。メモリ部３４は、貨幣の入出金データやその処理状況に関するログ情報が格納され、そこには操作・表示部３５および演算部３６が接続されている。また、棒金ストッカ１０内の棒金硬貨を含めて計数処理する回収制御部３７が、機構制御部３３を介してメモリ部３４に接続されている。
【００２１】
メモリ部３４は、収納庫の貨幣枚数データ等を記憶する第１のメモリ３４ａと、操作・表示部３５から指示された入出金動作毎のログ情報を記憶する第２のメモリ３４ｂと、貨幣処理機の故障発生に応じたエラーコード等を記憶する第３のメモリ３４ｃとから構成されている。この第１のメモリ３４ａでは、上位制御部からの出金指示データを記憶し、それに基づいて入出金計数処理部３１に対して金種および枚数を指示し、さらに実際に入出金処理された貨幣データを記憶している。
【００２２】
操作・表示部３５は、収納庫から回収すべき貨幣の金額等を指示する操作キー３５ａと、指示された貨幣データを表示する表示パネル３５ｂ等が設けられており、メモリ部３４との間でデータを授受するように構成されている。
【００２３】
（金銭処理動作）
つぎに、貨幣処理機の金銭処理動作について説明する。
商品コードのスキャン等によって、お客様の買上げ品の登録がすべて終了すると、ＰＯＳレジではその合計額が計算され、それがＰＯＳレジの表示部に表示される。通常、レジ担当者は表示された合計額を読み上げ、お客様からは買上げ品の合計額以上の貨幣が預かり金としてレジ担当者に渡される。
【００２４】
レジ担当者は、預かり金の金額を読み上げるとともに、その金額をＰＯＳレジの入力部から入力する。ＰＯＳレジでは、預かり金の入力額から買上げ品の合計額の差額が釣銭金額として計算され、上述した図１の貨幣処理機に釣銭金額データとして通知される。
【００２５】
貨幣処理機では、受け取った釣銭金額データにしたがって、その必要金種と枚数が計算され、対応する貨幣が出金される。レジ担当者は、ＰＯＳレジで発行されたレシート、および貨幣処理機から出金された釣銭貨幣（紙幣や硬貨等）をお客様に渡す。その後、お客様が受け取った釣銭貨幣に納得してレジを離れた時点で、貨幣処理機に預かり金を入金する。このとき、貨幣処理機の入出金計数処理部３１では、入金された紙幣および硬貨の枚数を計数して、第１のメモリ３４ａが記憶している収納庫の収納枚数データに加算するとともに、出金された紙幣および硬貨の枚数を収納枚数データから減算する。
【００２６】
以上が釣銭先払出し方式によるレジでの貨幣の受け渡しに伴う貨幣処理機の金銭処理動作である。こうした方式とは別に、貨幣処理機に預かり金の紙幣および硬貨を投入して、その金額を計数させることによって、預かり金の機械計数額と買上げ品の合計額との差額として釣銭金額を算出し、釣銭貨幣を出金する先入金計数方式もある。
【００２７】
（履歴表示の具体例）
つぎに、上述した操作表示パネル４によって実行される、現金入出金に係る操作履歴を確認するための具体例について説明する。
【００２８】
図４は、履歴表示の具体例を示す図であって、同図（ａ）は「補充動作」、（ｂ）は「入金動作」、（ｃ）は「鍵操作」に関する表示例である。
通常、ＬＣＤ表示器４ｂには、入出金動作等現在実行している動作内容と現在時刻が表示され、ＬＥＤ表示器４ａには対応する金額が表示されている。第１の履歴表示では、図４（ａ）に示すように、ＬＣＤ表示器４ｂの下段に直近の動作が現金補充である旨（ホジュウ）と補充された金額（１００００円）が表示され、その上段にその操作を行った日付および時刻が表示される。
【００２９】
第２の履歴表示では、図４（ｂ）に示すように、ＬＣＤ表示器４ｂの下段に直近の動作が入金である旨（ニュウキン）と入金された金額（１８２０円）が表示され、その上段にその操作を行った日付および時刻が表示される。第３の履歴表示では、同図（ｃ）に示すように、回収庫の鍵の開閉動作に対応する鍵位置情報（カギイチヲカンリヘヘンコウ）が下段に表示され、その上段にその操作を行った日付および時刻が表示される。
【００３０】
このような表示への切換えは、操作ボタン群４ｄの履歴スイッチを押下げて、直前の動作内容に相当するログ情報を呼び出すことで実行される。また、それ以前のログ情報を呼び出すには、下向きのスクロールボタン（▽）を押下げることで、表示された履歴内容を切換えることができる。さらに、置数ボタンを操作して日時を指定すれば、対応するタイムスタンプを持ったログ情報を呼び出すことができる。
【００３１】
（障害情報の表示例）
図５は、別の履歴表示の具体例を示す図であって、同図（ａ）は「異常発生時」の表示例、（ｂ）は「出金拒否時」の表示例である。
【００３２】
同図（ａ）の履歴は、貨幣処理機で紙幣の回収を指示したとき、指定された金種別収納庫からの回収動作が実行されないというエラー（障害）が生じた場合に表示される。ここでは、障害発生の原因となった直前の動作指示情報と当該障害情報とが交互表示される。すなわち、指示された動作の情報としてそれが回収動作である旨（カイシュウ）、および実際の回収された金額（￥０）が表示され、その上段にその操作を行った日付および時刻が最初に表示される。その後、回収動作に障害が発生した旨（イジョウ）、および実行されなかった原因を示すエラーコード（ｂＬＥ−９７８）の表示に切換わる。
【００３３】
ここでは、ヘルプスイッチを押下げることで、エラーコードが示す障害情報について「ＰＯＳレジの故障」、あるいは「釣銭機内での紙幣詰まり」等のように、具体的な障害内容を音声情報、またはＬＣＤ表示器４ｂにて告知できる。
【００３４】
図５（ｂ）の履歴は、入出金動作のコマンド入力に対して実行拒否が生じた場合に表示される。ここでは、当該拒否されたコマンドと実行拒否の理由とが交互表示される。すなわち、拒否されたコマンドは釣銭の出金動作である旨（シュッキンキョヒ）が表示され、その上段にその操作を行った日付および時刻が最初に表示される。その後、釣銭が出金されなかった理由として、釣銭機の紙幣出口に紙幣が残っている旨（シヘイザンリュウ）の表示に切換わる。先行する取引での紙幣が残留していると、釣銭額を過払いしてしまうからである。
【００３５】
この場合でも、ヘルプスイッチを押下げることで、コマンド実行拒否に対処するための必要な処理手順等が音声情報、またはＬＣＤ表示器４ｂにて告知される。
以上のように、実施の形態に係る貨幣処理機によれば、レジ担当者は現金の入出金動作を確認したい場合に、当該レジを離れることなく、しかも表示操作パネル４を用いて、言語情報と実操作とを付き合わせたログ情報を簡単に入手できる。したがって、違算発生等の障害原因の解析やレジ担当者の操作ミスの確認等が、その場で簡単な操作だけで実施でき、店舗側にとっても専用パソコン等の設置のための追加のスペース、費用も不要になるメリットがある。
【図面の簡単な説明】
【００３６】
【図１】本発明の実施の形態の貨幣処理機の外観を示す図であって、同図の（ａ）は上面図、（ｂ）は正面図である。
【図２】貨幣処理機に設けられた操作表示パネルの構成の具体例を示す図である。
【図３】実施の形態に係る貨幣処理機の制御機構を示すブロック図である。
【図４】履歴表示の具体例を示す図であって、同図（ａ）は「補充動作」、（ｂ）は「入金動作」、（ｃ）は「鍵操作」に関する表示例である。
【図５】別の履歴表示の具体例を示す図であって、同図（ａ）は「異常発生時」の表示例、（ｂ）は「出金拒否時」の表示例である。
【符号の説明】
【００３７】
１  紙幣部
２  硬貨部
３  受取部
４  操作表示パネル
５  紙幣投入口
６  紙幣出金口
７  硬貨投入口
８  硬貨出金口
３４  メモリ部
３５  操作・表示部
３６  演算部
【図１】
0005272458.tif 000002
【図２】
0005272458.tif 000003
【図３】
0005272458.tif 000004
【図４】
0005272458.tif 000005
【図５】
0005272458.tif 000006